(57)【特許請求の範囲】
【請求項１】
円盤状に設けられ、移動体の状況を示す指標が周方向に並べられた文字板と、
前記指標に沿って凹溝状に形成された凹部が設けられ、前記文字板が前記凹部の開口部を覆うように取り付けられるケース部と、
前記凹部内の前記文字板の背面側に前記指標と対向する位置に設けられ、前記指標に向かって光を出射する光源と、を備え、
前記ケース部には、前記指標と前記光源との間に前記光源と対向する位置に遮光部が設けられた計器装置において、
前記遮光部の外周部のうち、少なくとも一部は、前記凹部の外周部からの距離が一定となるような弧状をなしていることを特徴とする計器装置。
【請求項２】
前記指標は、前記開口部の、外側または内側に位置付けられるように設けられており、前記凹部の内周面は、前記光源からの光を反射するように設けられており、前記内周面には、外方向に向かうにしたがって前記文字板に近付く方向に傾斜する第１傾斜面と、内方向に向かうにしたがって前記文字板に近付く方向に傾斜する第２傾斜面と、が設けられ、  前記第１傾斜面と前記第２傾斜面とのうち、前記指標が設けられた側の一方の傾きは、前記指標から離れた側の他方の傾きよりも小さくなるように形成されていることを特徴とする請求項１に記載の計器装置。
【請求項３】
前記遮光部は、前記文字板の中心側の内側縁が、当該文字板の中心から離れる外方向に向かって凸となるような弧状をなしていることを特徴とする請求項１または請求項２に記載の計器装置。
【請求項４】
前記遮光部の前記外周部には、該外周部の端部に向かうにしたがって前記凹部の前記外周部からの距離が長くなるように形成されたＲ部が設けられていることを特徴とする請求項１乃至請求項３のうちいずれか一項に記載の計器装置。
【請求項５】
前記遮光部と前記凹部とを連結するように設けられ、前記光源からの光を前記第１傾斜面または前記第２傾斜面に反射するように設けられた脚部が備えられ、
前記脚部は、前記遮光部の前記外周部の両端部それぞれから外方向に突出するように一対設けられていることを特徴とする請求項２乃至請求項４のうちいずれか一項に記載の計器装置。
【発明の詳細な説明】
【技術分野】
【０００１】
本発明は、自動車などの移動体に搭載される計器装置に関する。
【背景技術】
【０００２】
上述した表示装置としては、例えば、図９に示すように、移動体としての自動車などの車両に搭載されたメータ１０１などが知られている（例えば、特許文献１を参照）。同図に示す従来のメータ１０１は、円盤状に設けられ、移動体の状況を示す指標（図示しない）が周方向に並べられた文字板（図示しない）と、前記指標に沿って凹溝状に形成された凹部１３１が設けられ、前記文字板が前記凹部１３１の開口部を覆うように取り付けられるケース部１０３と、前記凹部１３１内の前記文字板の背面側に前記指標と対向する位置に設けられ、前記指標に向かって光を出射する光源１０４と、を備えている。また、図９は、従来のメータ１０１において、文字板（図示しない）が取り外された状態を示しており、該図９に示された一点鎖線は、前記光源１０４からの光が照射される範囲Ｌを示している。
【０００３】
上記ケース部１０３には、前記指標と前記光源１０４との間に設けられ、平面視が円形状をした遮光部１３２が設けられている。
【先行技術文献】
【特許文献】
【０００４】
【特許文献１】特開２００６−４７１２８号公報
【発明の開示】
【発明が解決しようとする課題】
【０００５】
しかしながら、前述した従来のメータ１０１には、以下に示す問題があった。即ち、従来のメータ１０１においては、遮光部１３２は、平面視が円形状に形成されているので、前記光源１０４からの光が照射される範囲Ｌのうち、遮光部１３２から該凹部１３１の外周部までの距離が短い地点Ａは、前記光源１０４からの光量が多くなり、前記光源１０４からの光量は、前記地点Ａから、該凹部１３１の外周部から遮光部１３２までの距離が長くなる地点Ｂに向かうにしたがって少なくなるので、凹部１３１の周方向において、輝度にムラが生じることとなり、よって、前記文字板から視認される指標の輝度にムラが生じるという問題があった。さらに、ムラを生じさせない為の調光処理として、文字板に調光印刷を施すことがあるが、印刷の程度などの検討をしなければならず、工数がかかってしまう虞れがあった。
【０００６】
そこで、本発明は、上記のような問題点に着目し、光源から出射された光の光量を、文字板から視認される指標において均一化することで、視認性の向上を図った計器装置を提供することを課題としている。
【課題を解決するための手段】
【０００７】
請求項１に記載の本発明は、円盤状に設けられ、移動体の状況を示す指標が周方向に並べられた文字板と、前記指標に沿って凹溝状に形成された凹部が設けられ、前記文字板が前記凹部の開口部を覆うように取り付けられるケース部と、前記凹部内の前記文字板の背面側に前記指標と対向する位置に設けられ、前記指標に向かって光を出射する光源と、を備え、前記ケース部には、前記指標と前記光源との間に前記光源と対向する位置に遮光部が設けられた計器装置において、前記遮光部の外周部のうち、少なくとも一部は、前記凹部の外周部からの距離が一定となるような弧状をなしていることを特徴としている。
【０００８】
請求項２に記載の本発明は、請求項１に記載の本発明において、前記指標は、前記開口部、外側または内側に位置付けられるように設けられており、前記凹部の内周面は、前記光源からの光を反射するように設けられており、前記内周面には、外方向に向かうにしたがって前記文字板に近付く方向に傾斜する第１傾斜面と、内方向に向かうにしたがって前記文字板に近付く方向に傾斜する第２傾斜面と、が設けられ、前記第１傾斜面と前記第２傾斜面とのうち、前記指標が設けられた側の一方の傾きは、前記指標から離れた側の他方の傾きよりも小さくなるように形成されていることを特徴としている。
【０００９】
請求項３に記載の本発明は、請求項１、または、請求項２に記載の本発明において、前記遮光部は、前記文字板の中心側の内側縁が、当該文字板の中心から離れる外方向に向かって凸となるような弧状をなしていることを特徴としている。
【００１０】
請求項４に記載の本発明は、請求項１乃至請求項３のうちいずれか一項に記載の本発明において、前記遮光部の前記外周部には、該外周部の端部に向かうにしたがって前記凹部の前記外周部からの距離が長くなるように形成されたＲ部が設けられていることを特徴としている。
【００１１】
請求項５に記載の本発明は、請求項２乃至請求項４のうちいずれか一項に記載の本発明において、前記遮光部と前記凹部とを連結するように設けられ、前記光源からの光を前記第１傾斜面または前記第２傾斜面に向かって反射するように設けられた脚部が備えられ、前記脚部は、前記遮光部の前記外周部の両端部それぞれから外方向に突出するように一対設けられていることを特徴としている。
【発明の効果】
【００１２】
請求項１記載の本発明によれば、円盤状に設けられ、移動体の状況を示す指標が周方向に並べられた文字板と、前記指標に沿って凹溝状に形成された凹部が設けられ、前記文字板が前記凹部の開口部を覆うように取り付けられるケース部と、前記凹部内の前記文字板の背面側に前記指標と対向する位置に設けられ、前記指標に向かって光を出射する光源と、を備え、前記ケース部には、前記指標と前記光源との間に前記光源と対向する位置に遮光部が設けられた計器装置において、前記遮光部の外周部のうち、少なくとも一部は、前記凹部の外周部からの距離が一定となるような弧状をなしているので、光源から出射された光の光量が、遮光部の外周部から一定の距離をあけた前記凹部の外周部において、該凹部の周方向で均一化されることとなり、前記光の光量を、文字板から視認される指標において均一化することで、視認性の向上を図った計器装置を提供することができる。
【００１３】
請求項２記載の本発明によれば、前記指標は、前記開口部、外側または内側に位置付けられるように設けられており、前記凹部の内周面は、前記光源からの光を反射するように設けられており、前記内周面には、外方向に向かうにしたがって前記文字板に近付く方向に傾斜する第１傾斜面と、内方向に向かうにしたがって前記文字板に近付く方向に傾斜する第２傾斜面と、が設けられ、前記第１傾斜面と前記第２傾斜面とのうち、前記指標が設けられた側の一方の傾きは、前記指標から離れた側の他方の傾きよりも小さくなるように形成されているので、前記光源からの光は、前記指標から離れた側の前記他方に反射されて前記指標に向かって出射されることとなり、よって、前記指標に向かって出射される光の光量が増加され、前記指標が、より一層、光輝されることにより、視認性の向上を図ることができる。
【００１４】
請求項３記載の本発明によれば、前記遮光部の内周部は、外方向に向かって凸となるような弧状をなしているので、前記遮光部の前記内周部は、前記光源からの距離が、該内周部の中央部に向かうにしたがって短くなるように形成されていることで、前記指標から離れた側に設けられた第１傾斜面または第２傾斜面によって前記指標に向かって反射される光の光量が増加されて、前記指標が、より一層、光輝されることで、より一層、視認性の向上を図ることができる。
【００１５】
請求項４記載の本発明によれば、前記遮光部の前記外周部には、該外周部の端部に向かうにしたがって前記凹部の前記外周部からの距離が長くなるように形成されたＲ部が設けられているので、前記遮光部の前記外周部は、該外周部の端部（Ｒ部）に向かうにしたがって前記凹部の外周部からの距離が長くなるように形成されていることとなり、よって、光源からの光が照射される範囲のうち、光源から遠い（離れた）位置に向かって出射される光の光量が増加されることとなり、よって、光源から出射された光の光量が、前記凹部の外周部において、より一層、該凹部の周方向で均一化されることとなり、より一層、視認性の向上を図ることができる。
【００１６】
請求項５記載の本発明によれば、前記遮光部と前記凹部とを連結するように設けられ、前記光源からの光を前記第１傾斜面または前記第２傾斜面に向かって反射するように設けられた脚部が備えられ、前記脚部は、前記遮光部の前記外周部の両端部それぞれから外方向に突出するように一対設けられているので、前記開口部の前記指標が位置付けられた、前記一対の脚部と前記光源とを結ぶ直線の範囲内に、光源からの光が照射されることとなる。即ち、前記光源を中心とした前記一対の脚部のなす角度によって、前記光源からの光が照射される範囲が定められることとなり、前記光源を中心とした前記一対の脚部のなす角度を定める容易な作業で、前記光源からの光が照射される範囲を決めることができる。
【図面の簡単な説明】
【００１７】
【図１】本発明の第１の実施の形態にかかるメータを示す正面図である。
【図２】図１中のＩ−Ｉ線に沿う断面図である。
【図３】図１に示されたメータを構成する文字板が取り外された状態を示す正面図である。
【図４】図３に示された要部を拡大して、一部断面を示す斜視図である。
【図５】図２に示された要部を拡大して示す断面図である。
【図６】本発明の第２の実施の形態にかかるメータの要部を拡大して示す正面図である。
【図７】図６に示された要部をさらに拡大して示す正面図である。
【図８】図６に示されたメータを構成する文字板が取り外された状態を示す正面図である。
【図９】従来のメータを示す正面図である。
【発明を実施するための形態】
【００１８】
（第１の実施形態）
本発明の第１の実施の形態にかかる計器装置としてのタコメータ（以下、メータと記す）を、図１乃至図５を参照して説明する。
【００１９】
上記メータ１は、図１、図２に示すように、円盤状に設けられ、移動体の状況を示す指標２０が周方向に並べられた文字板２と、前記指標２０に沿って凹溝状に形成された凹部３０と、が設けられ、前記文字板２が前記凹部３０の開口部を覆うように取り付けられるケース部３と、前記凹部３０内の前記文字板２の背面側に前記指標２０と対向する位置に設けられ、前記指標２０に向かって光を出射する複数の光源としての指標用光源４Ａと、指針５と、内機６と、配線板７と、見返し部８と、を備えている。これら文字板２、指標用光源４Ａ、指針５、内機６、配線板７、見返し部８がケース部３に収容された状態で、該ケース部３の前記運転者側の正面（以下、正面側と記す）を覆う表ガラス９と、ケース部３の正面と反対の背面側を覆う裏カバー１０と、で構成されている。
【００２０】
上記文字板２は、図１、図５に示すように、透明基板２Ｂと、該透明基板２Ｂの正面側に設けられた意匠表示層２Ｃと、前記透明基板２Ｂの前記背面側に設けられ指標２０、及び、後述する意匠部（図示しない）が除かれた遮光層２Ａと、で構成されている。また、文字板２の中心部には、指針５を取り付けるために当該文字板３を貫通した指針通し孔２３（図３に示す）が設けられている。
【００２１】
上記指標２０は、文字板２の周方向に沿ってほぼ等間隔に並べられている。また、指標２０は、凹部３０の開口部のうち、外側（即ち、後述する第１傾斜面３ａ側）に位置付けられるように設けられている。また、指標２０は、移動体の状況を示すための、目盛り部２１と、目盛り部２１に対応する位置に設けられた数字部２２と、を備えている。
【００２２】
さらに、文字板２には、移動体の状況を示すために設けられた複数の意匠部（図示しない）が設けられている。これら複数の意匠部は、前述した指標２０と、指針通し孔２３との間に、周方向に沿って設けられている。また、図１においては、これら複数の意匠部は省略されている。
【００２３】
上記ケース部３は、前述した文字板２の背面側に設けられている。また、ケース部３には、図３、図４に示すように、凹部３０と、前記指標２０と指標用光源４Ａとの間に、該指標用光源４Ａと対向する位置に設けられた遮光部３５と、前記遮光部３５と前記凹部３０とを連結するように設けられた脚部３８と、が設けられている。
【００２４】
上記凹部３０の内周面は、図４に示すように、指標用光源４Ａからの光を反射するように設けられており、該凹部３０の内周面には、外方向に向かうにしたがって、前記文字板２に近付く方向に傾斜する第１傾斜面３ａと、内方向に向かうにしたがって前記文字板２に近付く方向に傾斜する第２傾斜面３ｂと、が設けられている。また、第２傾斜面３ｂに反射された光は、前記指標２０に向かって出射されるように、第２傾斜面３ｂの傾きが、第１傾斜面３ａの傾きよりも大きくなるように形成されている。また、図３に示すように、凹部３０の外周部３１（即ち、第１傾斜面３ａの外方向の縁）、及び、内周部３２（即ち、第２傾斜面３ｂの内方向の縁）は、前記指針通し孔２３を中心とした弧状をなしている。
【００２５】
また、第１傾斜面３ａと第２傾斜面３ｂとの間には、後述する配線板７に取り付けられた指標用光源４Ａを通すために、ケース部３を貫通した、複数の光源用開口部３４Ａが設けられている。
【００２６】
また、凹部３０と指針通し孔２３との間には、配線板７に取り付けられた、後述する意匠用光源４Ｂを通すために、ケース部３を貫通した、複数の光源用開口部３４Ｂが設けられている。
【００２７】
上記遮光部３５は、板状に形成されている。また、遮光部３５の外周部３６は、その全周に亘って、前記凹部３０の外周部３１からの距離が一定となるような弧状をなしている。また、遮光部３５の内周部３７は、外方向に向かって凸となるような弧状をなしている。即ち、遮光部３５の内周部３７は、該内周部３７の中央部に向かうにしたがって、指標用光源４Ａからの距離が短くなるような弧状をなしている。
【００２８】
上記脚部３８は、板状に形成されており、前記遮光部３５の前記外周部３６の両端部それぞれから外方向に突出するように一対設けられている。
【００２９】
また、脚部３８の外表面は、前記指標用光源４Ａからの光を反射するように設けられている。こうして、脚部３８によって反射された光は、前記第１傾斜面３ａまたは前記第２傾斜面３ｂに反射されて、前記開口部の外側に位置付けられた指標２０に向かって出射される。
【００３０】
また、図４に示すように、指標用光源４Ａから出射されて、前記脚部３８によって反射された後、第１傾斜面３ａ、または、第２傾斜面３ｂによって反射された光は、前記指標２０が位置付けられた前記開口部の、前記一対の脚部３８と前記指標用光源４Ａとを結ぶ直線の範囲Ｌ内に出射されることとなる。即ち、前記一対の脚部３８と前記指標用光源４Ａとを結ぶ直線の範囲Ｌが、前記指標用光源４Ａからの光が照射される範囲となる。したがって、前記指標用光源４Ａからの光が照射される範囲Ｌは、指標用光源４Ａを中心とした一対の脚部３８のなす角度によって定められることとなる。
【００３１】
さらに、メータ１には、前述した意匠部を照らすための複数の意匠部用光源４Ｂが設けられている。これら複数の意匠部用光源４Ｂは、前記文字板の背面側に前記意匠部と対向する位置に設けられ、前記意匠部に向かって光を出射する。
【００３２】
上記指針５は、図１、図２に示すように、前記文字板２の指針通し孔２３を通されて、前記文字板２３の正面側に配置される。また、指針５は、内機６によって駆動される。こうして、指針５は、移動体の状況に応じた指標２０を示している。
【００３３】
上記配線板７は、前記文字板２の背面側に設けられ、内機６や指標用光源４Ａ、意匠部用光源４Ｂが搭載される。
【００３４】
次に、上述した構成のメータ１の指標用光源４Ａから出射される光Ｌ１、Ｌ２の進み方について、図５を参照しながら以下説明する。
【００３５】
まず、指標用光源４Ａから、遮光部３５の外方向に向かって出射した光Ｌ１は、第１傾斜面３ａに反射されて、指標２０が位置付けられた開口部の外側に向かって出射される。または、前記光Ｌ１は、第１傾斜面３ａに反射された後、さらに、遮光部３５に反射されて、指標２０が位置付けられた開口部の外側に向かって出射される。
【００３６】
また、前記遮光部３５の外周部３６は、全周に亘って、前記凹部３０の外周部３１からの距離が一定となるような弧状をなしているので、前述した指標２０が位置付けられた開口部の外側に向かって出射される光Ｌ１の光量が、遮光部３５の外周部３６から一定の距離をあけた前記凹部３０の外周部３１において、該凹部３０の周方向で均一化されることとなる。
【００３７】
さらに、指標用光源４Ａから、遮光部３５の外方向に向かって出射した光Ｌ１は、脚部３８に反射された後、前記第１傾斜面３ａまたは前記第２傾斜面３ｂに反射されて、前記開口部の外側に位置付けられた指標２０に向かって出射されることとなり、よって、前記指標２０に向かって出射される光の光量が増加されることとなる。
【００３８】
また、指標用光源４Ａから、遮光部３５の内方向に向かって出射した光Ｌ２は、第２傾斜面３ｂに反射されて、指標２０が位置付けられた開口部の外側に向かって出射される。遮光部３５の内周部が、該内周部の中央部に向かうにしたがって、指標用光源４Ａからの距離が短くなるような弧状をなしているので、指標用光源４Ａから、遮光部３５の内方向に向かって出射した光Ｌ２は、該指標２０に向かって出射される光の光量が増加されることとなる。
【００３９】
こうして、文字板２に入射（受光）された光Ｌ１、Ｌ２は、遮光層２Ａが形成されていない部分（即ち、指標２０、及び、意匠部）を透過して正面側に出射される。こうして、前記運転者に文字板２上に形成された指標２０、及び、意匠部が光輝して視認される。
【００４０】
上述した実施形態によれば、円盤状に設けられ、移動体の状況を示す指標が周方向に並べられた文字板２と、前記指標２０に沿って凹溝状に形成された凹部３０が設けられ、前記文字板２が前記凹部３０の開口部を覆うように取り付けられるケース部３と、前記凹部３０内の前記文字板２の背面側に前記指標２０と対向する位置に設けられ、前記指標２０に向かって光を出射する光源としての指標用光源４Ａと、を備え、前記ケース部３には、前記指標２０と前記指標用光源４Ａとの間に前記指標用光源４Ａと対向する位置に遮光部３５が設けられた計器装置としてのメータ１において、前記遮光部３５の外周部３６のうち、少なくとも一部は、前記凹部３０の外周部３１からの距離が一定となるような弧状をなしているので、指標用光源４Ａから出射された光の光量が、遮光部３５の外周部３６から一定の距離をあけた前記凹部３０の外周部３１において、該凹部３０の周方向で均一化されることとなり、前記光の光量を、文字板２から視認される指標２０において均一化することで、視認性の向上を図ったメータ１を提供することができる。
【００４１】
また、前記指標２０は、前記開口部、外側に位置付けられるように設けられており、前記凹部３０の内周面は、前記指標用光源４Ａからの光を反射するように設けられており、前記内周面には、外方向に向かうにしたがって前記文字板２に近付く方向に傾斜する第１傾斜面３ａと、内方向に向かうにしたがって前記文字板２に近付く方向に傾斜する第２傾斜面３ｂと、が設けられ、前記第１傾斜面３ａと前記第２傾斜面３ｂとのうち、前記指標２０が設けられた側の一方の傾きは、前記指標２０から離れた側の他方の傾きよりも小さくなるように形成されているので、前記指標用光源４Ａからの光は、前記指標２０から離れた側の前記他方に反射されて前記指標２０に向かって出射されることとなり、例えば、前記指標２０が、前記凹部３０の前記開口部の、外側に位置付けられるように設けられている際には、前記指標２０が設けられた側には第１傾斜面３ａが設けられ、前記指標２０から離れた側には第２傾斜面３ｂが設けられていることとなり、第１傾斜面３ａの傾きは、第２傾斜面３ｂの傾きよりも小さくなるように形成されているので、前記遮光部３５の内方向に向かって出射された光は、第２傾斜面３ｂに反射されて前記指標２０が位置付けられた前記開口部の前記外側に向かって出射されることとなり、よって、前記指標２０に向かって出射される光の光量が増加され、前記指標２０が、より一層、光輝されることにより、視認性の向上を図ることができる。
【００４２】
また、前記遮光部３５の内周部３７は、外方向に向かって凸となるような弧状をなしているので、前記遮光部３５の前記内周部３７は、前記指標用光源４Ａからの距離が、該内周部３７の中央部に向かうにしたがって短くなるように形成されていることとなり、前記遮光部３５の前記内周部３７は、前記指標用光源４Ａからの距離が、該内周部３７の中央部に向かうにしたがって短くなるように形成されていることで、前記指標２０から離れた側に設けられた第２傾斜面３ｂによって前記指標２０に向かって反射される光の光量が増加されて、前記指標２０が、より一層、光輝されることで、より一層、視認性の向上を図ることができる。
【００４３】
また、前記遮光部３５と前記凹部３０とを連結するように設けられ、前記指標用光源４Ａからの光を前記第１傾斜面３ａまたは前記第２傾斜面３ｂに向かって反射するように設けられた脚部３８が備えられ、前記脚部３８は、前記遮光部３５の前記外周部３６の両端部それぞれから外方向に突出するように一対設けられているので、前記開口部の前記指標２０が位置付けられた、前記一対の脚部３８と前記指標用光源４Ａとを結ぶ直線の範囲Ｌ内に、指標用光源４Ａからの光が照射されることとなる。即ち、前記指標用光源４Ａを中心とした前記一対の脚部３８のなす角度によって、前記指標用光源４Ａからの光が照射される範囲Ｌが定められることとなり、前記指標用光源４Ａを中心とした前記一対の脚部３８のなす角度を定める容易な作業で、前記指標用光源４Ａからの光が照射される範囲Ｌを決めることができる。
【００４４】
なお、上述した実施形態によれば、遮光部３５の外周部３６は、その全周に亘って、前記凹部３０の外周部３１からの距離が一定となるような弧状をなしているが、本発明はこれに限ったものではなく、遮光部３５の外周部３６は、少なくとも一部が、前記凹部３０の外周部３１からの距離が一定となるような弧状をなしていればよい。
【００４５】
また、上述した実施形態によれば、前記指標２０が、前記凹部３０の前記開口部の、外側に位置付けられるように設けられており、前記指標が設けられた側の第１傾斜面３ａの傾きは、前記指標から離れた側の第２傾斜面３ｂの傾きよりも小さくなるように形成されているが、本発明はこれに限ったものではなく、前記指標２０が、前記凹部３０の前記開口部の、内側に位置付けられるように設けられており、前記指標が設けられた側の第２傾斜面３ｂの傾きは、前記指標２０から離れた側の第１傾斜面３ａの傾きよりも小さくなるように形成されていてもよい。前記指標２０は、前記開口部、内側に位置付けられるように設けられており、前記凹部３０の内周面は、前記指標用光源４Ａからの光を反射するように設けられており、前記内周面には、外方向に向かうにしたがって前記文字板２に近付く方向に傾斜する第１傾斜面３ａと、内方向に向かうにしたがって前記文字板２に近付く方向に傾斜する第２傾斜面３ｂと、が設けられ、前記第１傾斜面３ａと前記第２傾斜面３ｂとのうち、前記指標２０が設けられた側の一方の傾きは、前記指標２０から離れた側の他方の傾きよりも小さくなるように形成されているので、前記遮光部３５の外方向に向かって出射された光は、第１傾斜面３ａに反射されて前記指標２０が位置付けられた前記開口部の前記内側に向かって出射されることとなり、よって、前記指標２０に向かって出射される光の光量が増加されて、前記指標２０が、より一層、光輝されることで、より一層、視認性の向上を図ることができる。
【００４６】
（第２の実施形態）
本発明の第２の実施形態に係るメータ１´を、図６、図７、図８を参照して説明する。また、図６、図７、図８において、前述した第１の実施形態と同一構成部分には同一符号を付して説明を省略する。
【００４７】
上記メータ１´は、円盤状に設けられ、移動体の状況を示す指標２０が周方向に並べられた文字板２と、前記指標２０に沿って凹溝状に形成された凹部３０と、が設けられ、前記文字板２が前記凹部３０の開口部を覆うように取り付けられるケース部３´と、前記凹部３０内の前記文字板２の背面側に前記指標２０と対向する位置に設けられ、前記指標２０に向かって光を出射する複数の光源としての指標用光源４Ａと、指針５と、内機６と、配線板７と、見返し部８と、を備えている。
【００４８】
上記ケース部３´は、前述した文字板２の背面側に設けられている。また、ケース部３には、図３、図４に示すように、凹部３０と、前記指標２０と指標用光源４Ａとの間に、該指標用光源４Ａと対向する位置に設けられた遮光部３５´と、前記遮光部３５と前記凹部３０とを連結するように設けられた脚部３８と、が設けられている。
【００４９】
上記遮光部３５´は、板状に形成されている。また、図６、図７に示すように、遮光部３５´の外周部３６には、中央部において、前記凹部３０の外周部３１からの距離が一定となるような弧状をなしており、該外周部３６の端部に向かうにしたがって、指標用光源４Ａからの距離が長くなるように形成されたＲ部３９が設けられている。
【００５０】
また、図８に示すように、前記指標用光源４Ａからの光が照射される範囲Ｌにおいて、該範囲Ｌの周方向の端部同士が重ねられるように（オーバーラップするように）前記脚部３８が、設けられている。（即ち、該範囲Ｌの周方向の端部同士が重ねられるように（オーバーラップするように）、指標用光源４Ａを中心とした一対の脚部３８のなす角度は定められている。）
【００５１】
詳しく説明すると、前記遮光部３５´の外周部３６からの距離が離れるにしたがって、前記指標用光源４Ａからの光の光量が減少するので、前述した指標用光源４Ａからの光が照射される範囲Ｌにおいては、周方向の中央部から端部に向かうにしたがって、前記指標用光源４Ａからの光が減少することとなるので、前記指標用光源４Ａからの光が照射される範囲Ｌにおいて、前記指標用光源４Ａからの光が減少する、該範囲Ｌの周方向の端部同士が重ねられるように、一対の脚部３８が設けられている（即ち、指標用光源４Ａを中心とした一対の脚部３８のなす角度は定められている。）。このように、前記範囲Ｌの周方向の端部同士が重ねられる（オーバーラップする）ように、一対の脚部３８のなす角度を定めることで、前記指標２０が位置付けられた前記開口部に照射される光は、周方向に均一化されることとなる。
【００５２】
上述した実施形態によれば、前記遮光部３５の前記外周部３６には、該外周部３６の端部に向かうにしたがって前記凹部３０の前記外周部３６からの距離が長くなるように形成されたＲ部３９が設けられているので、前記遮光部３５の前記外周部３６は、該外周部３６の端部に向かうにしたがって前記凹部３０の外周部３１からの距離が長くなるように形成されていることとなり、よって、指標用光源４Ａからの光が照射される範囲Ｌのうち、指標用光源４Ａから遠い（離れた）位置に向かって出射される光の光量が増加されることとなり、よって、指標用光源４Ａから出射された光の光量が、前記凹部３０の外周部３１において、より一層、該凹部３０の周方向で均一化されることとなり、よって、より一層、視認性の向上を図ることができる。
【００５３】
また、前記遮光部３５と前記凹部３０とを連結するように設けられ、前記指標用光源４Ａからの光を前記第１傾斜面３ａまたは前記第２傾斜面３ｂに向かって反射するように設けられた脚部３８が備えられ、前記脚部３８は、前記遮光部３５の前記外周部３６の両端部それぞれから外方向に突出するように一対設けられているので、前記開口部の前記指標２０が位置付けられた、前記一対の脚部３８と前記指標用光源４Ａとを結ぶ直線の範囲Ｌ内に、指標用光源４Ａからの光が照射されることとなる。即ち、前記指標用光源４Ａを中心とした前記一対の脚部３８のなす角度によって、前記指標用光源４Ａからの光が照射される範囲Ｌが定められることとなり、前記指標用光源４Ａを中心とした前記一対の脚部３８のなす角度を定める容易な作業で、前記指標用光源４Ａからの光が照射される範囲Ｌを決めることができる。
【００５４】
また、前記一対の脚部３８と、前記指標用光源４Ａとを結ぶ直線の範囲Ｌ内には、前記指標用光源４Ａからの光が照射され、前記範囲Ｌ同士が重ねられるように前記脚部３８が設けられているので、例えば、前記指標用光源４Ａからの光の光量が減少する該範囲Ｌの周方向の端部と、隣り合う前記範囲Ｌの端部同士と、を重ねるように設ける（オーバーラップする）ことで、指標用光源４Ａから出射された光の光量が、前記凹部３０の外周部３１において、より一層、該凹部３０の周方向で均一化されることとなり、より一層、視認性の向上を図ることができる。
【００５５】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５６】
１、１´  メータ（計器装置）
２  文字板
２０  指標
３、３´  ケース部
３ａ  第１傾斜面
３ｂ  第２傾斜面
３０  凹部
３１  凹部の外周部
３５、３５´  遮光部
３６  遮光部の外周部
３７  遮光部の内周部
３８  脚部
３９  Ｒ部
４Ａ  指標用光源（光源）
【図１】
0005686571.tif 000002
【図２】
0005686571.tif 000003
【図３】
0005686571.tif 000004
【図４】
0005686571.tif 000005
【図５】
0005686571.tif 000006
【図６】
0005686571.tif 000007
【図７】
0005686571.tif 000008
【図８】
0005686571.tif 000009
【図９】
0005686571.tif 000010